(57)【要約】【課題】培地において培養液を苗の近傍に供給すると共に、培地に均一に浸透せしめる培地への培養液供給方法と培養液供給構造を提供することを課題としている。【解決手段】苗の植付けが行われる培地１と、該培地１の上面側に敷設され、滴下された液体の浸透により湿潤状態となる湿潤シート２との間の、培養液供給部３からの培養液の滴下位置に対応する位置に、液体の通過を許容しない不透水部４を設け、湿潤シート２の培養液供給位置から不透水部４の縁端側に対応する位置に培養液を浸透させ、不透水部４の縁端側から培地１に培養液を給液する。【選択図】          図１
2004298056.tif 000002
【特許請求の範囲】
【請求項１】
苗の植付けが行われる培地（１）の上面側に、滴下された液体の浸透により湿潤状態となる湿潤シート（２）を敷設し、湿潤シート（２）の上面側に設けられた培養液供給部（３）から培養液を滴下せしめ、湿潤シート（２）と培地（１）との間における、培養液供給部（３）からの培養液の滴下位置に対応する位置に、液体の通過を許容しない不透水部（４）を設け、湿潤シート（２）の培養液供給位置から、湿潤シート（２）における不透水部（４）の縁端側に培養液を浸透させ、不透水部の縁端側から培地（１）に培養液を給液する培地への培養液供給方法。
【請求項２】
苗の植付けが行われる培地（１）の上面側に敷設され、滴下された液体の浸透により湿潤状態となる湿潤シート（２）と、該湿潤シート（２）の上面側に設けられ、湿潤シート（２）に培養液を滴下せしめる培養液供給部（３）と、湿潤シート（２）と培地（１）との間における、培養液供給部（３）からの培養液の滴下位置に対応する位置に設けられ、液体の通過を許容しない不透水部（４）とを備え、該不透水部（４）により湿潤シート（２）の培養液供給位置から、湿潤シート（２）における不透水部（４）の縁端側に浸透せしめられる培養液を、不透水部（４）の縁端側から培地（１）に給液する培地への培養液供給構造。
【請求項３】
植付苗の間に湿潤シート（２）を設け、植付苗の列間の中央位置近傍に培養液を供給するように培養液供給部（３）を配置し、植付苗の隣接列の対向苗間において、不透水部（４）の幅（Ｌ２）を、湿潤シート（２）の幅（Ｌ１）より小さく設定し、不透水部（４）の苗側の両端縁が、湿潤シート（２）の苗側の両端縁より内側に位置するように不透水部（４）を設けた請求項２の培地への培養液供給構造。
【請求項４】
湿潤シート（２）における培地との接触面側の一部に一体的に不透水部（４）を形成した請求項２又は３の培地への培養液供給構造。
【請求項５】
湿潤シート（２）及び不透水部（４）の一部又は全てを生分解性を備えた材料により構成した請求項２又は３又は４の培地への培養液供給構造。
【請求項６】
湿潤シート（２）が防藻処理を施されてなる請求項２又は３又は４又は５の培地への培養液供給構造。
【発明の詳細な説明】
【０００１】
【発明の属する技術分野】
この発明は、苗の植付けが行われる培地への培養液供給方法と培養液供給構造に関する。
【０００２】
【従来の技術】
従来水（原水）と液肥とを混合した培養液を培養液供給用チューブから培地に滴下し、該培養液を培地に拡散・浸透させ、施肥と灌水とを同時に行う培養液栽培が公知となっている。そして該培養液栽培において、培地表面に湿潤マット（浸潤性シート）を敷設し、該湿潤マットの上に培養液供給用チューブを設け、該培養液供給用チューブから滴下される培養液によって湿潤マットを湿潤状態とし、この湿潤状態の湿潤マットを介して培養液を培地に浸透させるシステムが公知となっている（例えば特許文献１参照）。
【０００３】
これは培養液供給用チューブから滴下された培養液が、湿潤マットに滴下されると、培養液が湿潤マットの毛細管現象により湿潤マット全体に拡散し、湿潤マット全体が培養液により湿潤状態となるため、この湿潤状態となった湿潤マット全体を培地に接触させることにより、湿潤マットから培養液を培地全体に行きわたらせるものである。
【０００４】
【特許文献１】
特許第２９９８０８４号公報
【０００５】
【発明が解決しようとする課題】
しかし上記システムでは、湿潤マットは予め全体的に培地に接触しており、培養液供給用チューブからの培養液の滴下位置においては、滴下された培養液が湿潤シートによって水平方向に拡散する前に培地に接し、この培地との接触部分から培養液は培地に移行する。
【０００６】
この結果湿潤マット全体が培養液で湿潤状態となる前に、培地のおける培養液供給用チューブからの滴下位置に、培養液が集中して浸透せしめられ、培地全体には容易に行きわたらないという欠点があった。
【０００７】
【課題を解決するための手段】
上記課題を解決するための本発明の培地への培養液供給方法は、苗の植付けが行われる培地１の上面側に、滴下された液体の浸透により湿潤状態となる湿潤シート２を敷設し、湿潤シート２の上面側に設けられた培養液供給部３から培養液を滴下せしめ、湿潤シート２と培地１との間における、培養液供給部３からの培養液の滴下位置に対応する位置に、液体の通過を許容しない不透水部４を設け、湿潤シート２の培養液供給位置から不透水部４の縁端側に対応する位置に培養液を浸透させ、不透水部の縁端側から培地１に培養液を給液することを第１の特徴としている。
【０００８】
また本発明の培地への培養液供給構造は、苗の植付けが行われる培地１の上面側に敷設され、滴下された液体の浸透により湿潤状態となる湿潤シート２と、該湿潤シート２の上面側に設けられ、湿潤シート２に培養液を滴下せしめる培養液供給部３と、湿潤シート２と培地１との間における、培養液供給部３からの培養液の滴下位置に対応する位置に設けられ、液体の通過を許容しない不透水部４とを備え、該不透水部４により湿潤シート２の培養液供給位置から、湿潤シート２における不透水部４の縁端側に浸透せしめられる培養液を、不透水部４の縁端側から培地１に給液することを第１の特徴としている。
【０００９】
第２に植付苗の間に湿潤シート２を設け、植付苗の列間の中央位置近傍に培養液を供給するように培養液供給部３を配置し、植付苗の隣接列の対向苗間において、不透水部４の幅Ｌ２を、湿潤シート２の幅Ｌ１より小さく設定し、不透水部４の苗側の両端縁が、湿潤シート２の苗側の両端縁より内側に位置するように不透水部４を設けたことを特徴としている。
【００１０】
第３に湿潤シート２における培地との接触面側の一部に一体的に不透水部４を形成したことを特徴としている。
【００１１】
第４に湿潤シート２及び不透水部４の一部又は全てを生分解性を備えた材料により構成したことを特徴としている。
【００１２】
第５に湿潤シート２が防藻処理を施されてなることを特徴としている。
【００１３】
【発明の実施の形態】
図１，図２は本発明の培養液供給構造を採用した場合の通常の土耕栽培の培地１の断面図及び断面斜視図であり、本培養液供給システムは、湿潤マット２，培養液供給用のチューブ３，不透水シート４とから構成されている。
【００１４】
上記湿潤マット２は、苗６が植え付けられている培地１の上面における苗６の列間に敷設されており、滴下された液体を毛細管現象によって繊維方向に浸透させていく性能を有するシート状をなしている。なお湿潤マット２は、従来公知のものであり、例えばポリエステルの長繊維を不織布等からなる。
【００１５】
このとき上記湿潤マット２は、両端部が植付苗６に近接するように幅Ｌ１が設定されている。なお湿潤マット２は、図１の想像線に示すように、植付苗６の部分を除いて、培地１の上面全体に敷設してもよい。この場合湿潤マット２の苗用の孔の内端縁が植付苗６に近接する。また湿潤マット２には、酸化チタンが付着せしめられて、防藻処理が施されている。
【００１６】
そして上記湿潤マット２上に、培養液が供給されている上記培養液供給用のチューブ３が苗列間の略中央に位置して、苗列に沿った方向に設けられている。このとき上記チューブ３には、一部に孔５が穿設されており、チューブ３内を流通する培養液を、上記孔５から滴下するように構成されている。
【００１７】
さらに湿潤マット２と培地１との間に、上記不透水シート４が敷設されている。なお該不透水シート４は、液体の通過を許容しない従来公知のシート状のものである。このとき不透水シート４は、植付苗の列間の略中央に設けられ、植付苗の列間Ｌ３において、不透水シート４の幅Ｌ２は、湿潤シート２の幅Ｌ１より小さく、且つ前記チューブ７の幅（外径）より大きい。
【００１８】
本培養液供給システムは上記のように構成されており、まず湿潤マット２上に設けられたチューブ３から培養液が上記孔５の位置において湿潤マット２に滴下される。このとき湿潤マット２における培養液の滴下ポイントの直下には、湿潤マット２と培地１との間に位置して不透水シート４が設けられているため、湿潤マット２の培養液滴下位置は培地１と直接接していない。
【００１９】
このため湿潤マット２に滴下された培養液は、直ちに培地１に浸透することは無く、湿潤マット２と不透水シート４との間に一時的に留まり、湿潤マット２の毛細管現象によって湿潤マット２内を水平方向に拡散、又は不透水シート４の上面をつたい、いずれの場合も不透水シート４の外側や端縁側（不透水シート４が存在しない植付苗列の近接位置）から培地１に浸透し、培地に培養液による湿潤状態の浸透部７を形成する。
【００２０】
そして不透水シート４の外側には苗６が位置するため、この結果浸透部７は、苗列の近傍に形成され、培養液は苗６の近傍に集中して浸透せしめられる。このとき培地１における苗６が位置している部分は、不透水シート４が存在していないため、培養液を含む水分の蒸発が多く発生すると共に、苗６が培養液を吸収するため、培養液の浸透量は減少している。
【００２１】
一方培地１における不透水シート４と相対する部分は、不透水シート４が培地１からの培養液を含む水分の蒸発を妨げるため、培地１における不透水シート４の下方位置は培養液が十分浸透している水分安定域８を形成している。このため上記のように不透水シート４の外側に培養液を集中して浸透せしめることによって、トータル的に均一に培養液が培地１に浸透せしめられることとなる。
【００２２】
これにより培養液が均一に浸透せしめられた培地１を容易に作ることができ、さらに苗６が位置する不透水シート４の外側（縁端側）に培養液が集中して浸透せしめられるため、結局培養液は苗の近傍に、苗に対して効果的に注入される。また湿潤マット２には、前述のように防藻処理が施されているため、多くの水分を含む湿潤マット２側への藻の発生が防止され、藻による培地１への悪影響が防止されている。
【００２３】
なお上記湿潤マット２及び不透水シート４の少なくとも一方の一部、又は全てをトウモロコシ等の食品等を原料とした生分解性を備えた材料で製造することにより、湿潤マット２及び不透水シート４の少なくとも一部、又は全部は、経時に伴い分解され消滅するため、本システムの取り外し作業を容易に行うことができる他、環境への悪影響が少なくなる。
【００２４】
また湿潤マット２の裏面（培地１との接触面）の中央部分を、プラスティックやビニル等によって不透水加工することや、上記湿潤２マットの裏面の中央部分に不透水シート４を一体的に貼着することによって、湿潤マット２と不透水シート１とを一体的に構成することにより、湿潤マット２と別に不透水シート４を敷設する必要がなく、培地１の上面へのシート（湿潤マット２）の敷設を容易に行うことができる。
【００２５】
そして本不透水加工された湿潤マット２を前述のように生分解性を備えた材料で製造することによっても、環境への悪影響を防止し、且つ本システムの取り外し作業を容易に行うことができる。
【００２６】
図３は本培養液供給構造をイチゴの栽培ベッドに適用した例を示す断面斜視図であり、該栽培ベッド９は、排水溝１１が形成された発泡スチロール製のトレイ１２に、排水溝１１に目皿１３を載せ、その上に防水シート１４と遮根シート１６を敷設した状態で、遮根シート１６上に培地１７を盛った構成となっている。なお遮根シート１６は、空気や水分等のみ通過を許容し、植物（イチゴ）の根の通過を規制する従来公知のものである。
【００２７】
そしてイチゴの苗６の列の間に湿潤シート２を敷設し、湿潤シート２と培地１７との間に不透水シート４が設けられ、湿潤シート１２上に培養液供給用のチューブ３が設けられている。そして該チューブ３には、図示しない培養液の作製送出システム等から培養液が送られる。これにより栽培ベッド９内の培地１７には培養液が略均一に浸透せしめられ、イチゴの栽培を効果的に行うことができる。
【００２８】
すなわち本培地への培養液供給構造は、通常の土耕栽培の他、栽培ベッド等にも採用することができ、いずれの場合も培地に培養液をほぼ均一に浸透させることができる。
【００２９】
【発明の効果】
以上のように構成される本発明の構造によると、湿潤シート上に培養液が滴下されるが、湿潤シートにおける培養液の滴下ポイントの直下には、不透水部が設けられているため、湿潤シートに滴下された培養液は、直ちに培地に浸透することは無く、湿潤シートと不透水シートとの間に一時的に留まり、湿潤マットの毛細管現象によって水平方向に拡散、又は不透水シートの上面をつたい、いずれの場合も不透水シートの縁端側（不透水シートが存在しない植付苗の近接位置）から培地に浸透する。
【００３０】
このとき培地における不透水シートと相対する部分は、不透水シートが培地からの培養液を含む水分の蒸発を妨げるため、培地における不透水シートの下方位置は培養液が十分浸透しており、このため上記のように不透水シートの縁端側に培養液を集中して浸透せしめることによって、トータル的に培地に均一に培養液が浸透せしめられ、換言すると培養液が均一の浸透せしめられた培地を容易に作ることができる。
【００３１】
特に植付苗の間に湿潤シートを設け、植付苗の列間の中央位置近傍に培養液を供給するように培養液供給部を配置し、植付苗の隣接列の対向苗間において、不透水部の幅を、湿潤シートの幅より小さく設定し、不透水部の苗側の両端縁が、湿潤シートの苗側の両端縁より内側に位置するように不透水部を設けることによって、不透水部の縁端側が苗の近傍に位置し、培養液が湿潤シートから集中して浸透せしめられるため、結局培養液は苗の近傍に集中して浸透せしめられ、培養液は苗に対して効果的に注入されるという効果がある。
【００３２】
そして湿潤シートに不透水部とを一体的に設けることにより、湿潤シートと別に不透水部を設ける必要がなく、培地の上面へのシートの敷設等を容易に行うことができる。また湿潤シート及び不透水部の一部又は全てをトウモロコシ等の食品等を原料とした生分解性を備えた材料で製造することにより、湿潤シート及び不透水部の少なくとも一部は、経時に伴い分解され消滅するため、本システムの取り外し作業を容易に行うことができる他、環境への悪影響が少なくなる。
【００３３】
なお湿潤シートへの酸化チタンの付着させる等によって、湿潤シートに防藻処理を行うことにより、湿潤シートへの藻の発生等を防止することができ、藻等による培地への悪影響を防止することができる。
【図面の簡単な説明】
【図１】本培養液供給構造を採用した土耕栽培の培地の断面図である。
【図２】本培養液供給構造を採用した土耕栽培の培地の断面斜視図である。
【図３】本培養液供給構造をイチゴの栽培ベッドに適用した例を示す断面斜視図である。
【符号の説明】
１      培地
２      湿潤マット（湿潤シート）
３      チューブ（培養液供給部）
４      不透水シート（不透水部）
Ｌ１    湿潤マット（湿潤シート）の幅
Ｌ２    不透水シート（不透水部）の幅
【図１】
2004298056.tif 000003
【図２】
2004298056.tif 000004
【図３】
2004298056.tif 000005